(57)【要約】【課題】電線に衝撃的な引っ張り力が作用した場合にも電線の端末を端子金具から外れることなく接続状態に保持する機能、すなわち耐衝撃機能を高める。【解決手段】前後方向に長いキャビティ３３が形成されたハウジング３０と、電線１０の端末に接続されキャビティ３３に対し後方から挿入される端子金具２０と、端子金具２０を抜け止めする係止部材３６，５０と、が具備されたコネクタＣ１において、キャビティ３３の後端部には、端子金具２０から引き出された電線１０を同電線１０の軸線と交差する方向に押圧して屈曲させる弾性材からなる押圧部６６を備えた緩衝部材６０が装着されている。【選択図】図４
2017142901.tif 000002
【特許請求の範囲】
【請求項１】
前後方向に長いキャビティが形成されたハウジングと、
電線の端末に接続され前記キャビティに対し後方から挿入される端子金具と、
前記端子金具を抜け止めする係止部材と、が具備されたコネクタにおいて、
前記キャビティの後端部には、前記端子金具から引き出された前記電線を同電線の軸線と交差する方向に押圧して屈曲させる弾性材からなる押圧部を備えた緩衝部材が装着されているコネクタ。
【請求項２】
前記緩衝部材が、前記押圧部が前記キャビティの外部に退避した仮係止位置と、前記押圧部が前記電線を押圧可能に前記キャビティの内部に進出した本係止位置との間で移動可能に設けられ、
かつ、前記緩衝部材に設けられた被係止部が、前記ハウジングに設けられた仮係止部または本係止部に係止することにより、前記緩衝部材が前記仮係止位置または前記本係止位置に保持される請求項１に記載のコネクタ。
【請求項３】
前記押圧部が、前記緩衝部材の移動方向と直交する方向において前記キャビティを横切る形態で片持ち状に形成されている請求項２に記載のコネクタ。
【請求項４】
前記係止部材が、前記ハウジングに対して前記端子金具の挿入方向と交差する方向に移動可能に装着されたリテーナであって、前記リテーナは、同リテーナに設けられた被係止部が前記ハウジングに設けられた仮係止部に係止されることで前記端子金具の挿入を許容するべく前記キャビティの外部に退避した仮係止位置に保持され、また前記被係止部が前記ハウジングに設けられた本係止部に係止されることで前記端子金具に係止するべく前記キャビティの内部に進出した本係止位置に保持されるようになっており、
前記リテーナが前記緩衝部材と一体的に形成されている請求項２または請求項３に記載のコネクタ。
【発明の詳細な説明】
【技術分野】
【０００１】
本明細書によって開示される技術は、ハウジングに端子金具が収容されたコネクタに関する。
【背景技術】
【０００２】
従来この種のコネクタの一例として、特開２００２−３５２８９２号公報（下記特許文献１）に記載のものが知られている。このコネクタは、ハウジングに形成されたキャビティ内に、電線の端末に圧着により接続された端子金具が挿入され、ランスとリテーナとにより二重に係止されて端子金具の抜け止めが図られている。また、キャビティの後端部に電線保持部材を装着することにより、端子金具から引き出された電線を押さえて屈曲させ、同屈曲部分において電線に作用した引っ張り力を低減させることで、端子金具の保持力をさらに高めるようにしている。
【先行技術文献】
【特許文献】
【０００３】
【特許文献１】特開２００２−３５２８９２号公報
【発明の概要】
【発明が解決しようとする課題】
【０００４】
上記構造のコネクタでは、端子金具の抜け止めについては十分に有効であると言えるが、例えばハウジングから引き出された電線に対し、衝撃的なすなわち急激に大きな引っ張り力が作用した場合には、端子金具がランスとリテーナにより強固に係止されているが故に、端子金具における電線の端末の圧着部分に過大な荷重が作用し、電線が圧着部分から引き抜かれることが懸念される。上記のように、電線保持部材を設けて電線の引っ張り力の低減が図られてはいるものの、低減効果は主に電線と電線保持部材の摩擦係合に依るものであるため、特に衝撃的な引っ張り力が作用したときには引っ張り力の低減効果が十分には得られず、結果、電線が端子金具から引き抜かれる事態を招くおそれがあった。なお、このような事象の発生は、特に径の小さい電線いわゆる細物電線が適用されている場合に顕著である。
本明細書によって開示される技術は、上記のような事情に基づいて完成されたものであって、その目的は、電線に衝撃的な引っ張り力が作用した場合にも電線の端末を端子金具から外れることなく接続状態に保持する機能、すなわち耐衝撃機能を高めるところにある。
【課題を解決するための手段】
【０００５】
本明細書によって開示される技術は、前後方向に長いキャビティが形成されたハウジングと、電線の端末に接続され前記キャビティに対し後方から挿入される端子金具と、前記端子金具を抜け止めする係止部材と、が具備されたコネクタにおいて、前記キャビティの後端部には、前記端子金具から引き出された前記電線を同電線の軸線と交差する方向に押圧して屈曲させる弾性材からなる押圧部を備えた緩衝部材が装着されている構成である。
【０００６】
緩衝部材が装着されると、緩衝部材に備えられた押圧部が端子金具から引き出された電線を軸線と交差する方向に押圧して屈曲させた状態となる。ハウジングから後方に引き出された電線に衝撃的な引っ張り力が作用すると、電線は押圧部を弾性力に抗して変位させつつ真っ直ぐな姿勢となって引っ張られる。このように押圧部を弾性力に抗して変位させつつ電線が真っ直ぐに引っ張られる過程では、引っ張り力に係る仕事（エネルギ消費）が発生し、その分引っ張り力が吸収されることとなって、端子金具における電線の端末の接続部分に作用する引っ張り力が低減し、電線の端末が引き抜かれることが抑制される。すなわち、耐衝撃機能が高められる。
【０００７】
また、以下のような構成としてもよい。
前記緩衝部材が、前記押圧部が前記キャビティの外部に退避した仮係止位置と、前記押圧部が前記電線を押圧可能に前記キャビティの内部に進出した本係止位置との間で移動可能に設けられ、かつ、前記緩衝部材に設けられた被係止部が、前記ハウジングに設けられた仮係止部または本係止部に係止することにより、前記緩衝部材が前記仮係止位置または前記本係止位置に保持される。
【０００８】
この構成によれば、初めに緩衝部材を仮係止位置に保持しておくと、端子金具及び電線は、押圧部と干渉することなくキャビティ内に挿入され、端子金具がキャビティ内に正規に挿入されて係止部材で抜け止めされたら、緩衝部材を本係止位置に移動させて保持すると、押圧部がキャビティ内に進出して端子金具から引き出された電線を押圧して屈曲させる。
特に緩衝部材をハウジングに対して仮係止位置に仮組みできるようにしたから、端子金具の挿入から緩衝部材の装着に到るコネクタの組み立て作業を能率良く行うことができる。
【０００９】
前記押圧部が、前記緩衝部材の移動方向と直交する方向において前記キャビティを横切る形態で片持ち状に形成されている。
この構成によれば、緩衝部材が装着されることに伴い、片持ち状の押圧部が端子金具から引き出された電線を押圧して屈曲させ、電線に衝撃的な引っ張り力が作用した場合は、電線は片持ち状の押圧部を弾性的に撓み変位させつつ真っ直ぐな姿勢となって引っ張られる。緩衝部材の構造が簡単に纏められる。
【００１０】
前記係止部材が、前記ハウジングに対して前記端子金具の挿入方向と交差する方向に移動可能に装着されたリテーナであって、前記リテーナは、同リテーナに設けられた被係止部が前記ハウジングに設けられた仮係止部に係止されることで前記端子金具の挿入を許容するべく前記キャビティの外部に退避した仮係止位置に保持され、また前記被係止部が前記ハウジングに設けられた本係止部に係止されることで前記端子金具に係止するべく前記キャビティの内部に進出した本係止位置に保持されるようになっており、前記リテーナが前記緩衝部材と一体的に形成されている。
【００１１】
この構成によれば、リテーナと緩衝部材とが仮係止位置に保持された状態において、端子金具及び電線がキャビティ内に挿入され、端子金具がキャビティ内に正規に挿入されたところで、リテーナと緩衝部材を本係止位置に移動させて保持すると、リテーナが端子金具に係止し、併せて押圧部が端子金具から引き出された電線を押圧して屈曲させる。
緩衝部材をリテーナと一体的に形成したから、両者が別々の場合と比べて部品点数の減少が図れ、装着動作も簡単となる。また緩衝部材は、自身の係止手段に加えてリテーナの係止手段が利用されることで、保持力の向上が図られる。
【発明の効果】
【００１２】
本明細書によって開示されるコネクタによれば、電線に衝撃的な引っ張り力が作用した場合にも電線の端末を端子金具から外れることなく接続状態に保持する機能、すなわち耐衝撃機能を高めることができる。
【図面の簡単な説明】
【００１３】
【図１】実施形態１に係るハウジングの分解斜視図
【図２】リテーナ及び緩衝部材が仮係止位置に保持された状態のコネクタの縦断面図
【図３】同背面図
【図４】リテーナ及び緩衝部材が本係止位置に保持された状態のコネクタの縦断面図
【図５】同背面図
【図６】実施形態２に係るハウジングの分解斜視図
【発明を実施するための形態】
【００１４】
＜実施形態１＞
実施形態１を図１ないし図５によって説明する。本実施形態では、２極の雌側のコネクタＣ１を例示しており、図２に示すように、電線１０の端末に接続された２個の雌端子２０と、これらの雌端子２０を収容する雌ハウジング３０と、両雌端子２０を係止（二次係止）するためのリテーナ５０（係止部材）と、緩衝部材６０と、を備えて構成されている。
【００１５】
電線１０は、径寸法が小さい被覆電線、いわゆる細物電線である。
雌端子２０は、導電性に優れた金属板をプレス加工して形成されており、図２に示すように、角筒状をなす端子接続部２１の後方に、ワイヤバレル２２とインシュレーションバレル２３とが設けられた構造である。端子接続部２１内には、図示しない相手の雄端子のタブが前方から挿入可能とされ、同端子接続部２１内には雄端子のタブに弾性的に接触する弾性接触片２５が設けられている。端子接続部２１の上面（図２の下側）の先端部には、被係止突部２６が形成されている。
【００１６】
電線１０には、絶縁被覆１２の端末の所定量が皮剥される端末処理が施されており、電線１０における露出された芯線１１の端末が雌端子２０のワイヤバレル２２に、残った絶縁被覆１２の端末がインシュレーションバレル２３にそれぞれ圧着により固定される。これにより、電線１０の端末に雌端子２０が接続された形態を採る。
【００１７】
雌ハウジング３０は合成樹脂製であって、図１及び図２に示すように、概ね前後方向に長いブロック状をなすハウジング本体３１を備えている。雌ハウジング３０は、図示しない相手の雄ハウジングと嵌合されるようになっており、ハウジング本体３１の上面には、雄ハウジングとの間を嵌合状態にロックするためのロックアーム３２が、先端部から後方に延出した形態で設けられている。
【００１８】
雌ハウジング３０のハウジング本体３１内には、前後方向に延びた後面開口の２本のキャビティ３３が左右に並んで形成されている。キャビティ３３内には、上記した電線１０の端末に接続された雌端子２０が後方から挿入され、端子接続部２１の前面がキャビティ３３の前壁３４に当接したところで挿入が停止されるようになっている。キャビティ３３の前壁３４には、相手の雄端子のタブが挿入される端子挿入口３５が開口されている。
【００１９】
キャビティ３３の底面における先端寄りの位置には、樹脂ランス３６が弾性的な撓み変位可能に設けられている。雌端子２０が、図２に示すように、上下反転させた姿勢においてキャビティ３３内に後方から挿入されると、挿入動作の終盤において樹脂ランス３６を下方に向けて弾性変位させつつ押し込まれ、前壁３４に当たる正規位置まで押し込まれたところで、樹脂ランス３６が復元弾力で元姿勢に復動して雌端子２０の被係止突部２６に係止（一次係止）するようになっている。
【００２０】
ハウジング本体３１には、上記のようにキャビティ３３内に挿入されて一次係止された雌端子２０に対し、さらに係止（二次係止）して抜け止めの強化を図るべくリテーナ５０が装着されるようになっている。
そのため、ハウジング本体３１の下面における前後方向の略中央部には、リテーナ装着孔４０が形成されている。リテーナ装着孔４０は詳細には、図２に示すように、前後方向に所定の長さ寸法を備え、ハウジング本体３１の下面の全幅に亘ってキャビティ３３の略中央高さ位置に到るように切り込まれた形態で形成されている。
また、ハウジング本体３１の左右の側面には、図１に示すように、リテーナ装着孔４０から前後両側に張り出した所定の長さ領域に亘り、縦向きのガイド溝４１が一段凹んだ形態で形成されている。
【００２１】
リテーナ５０は合成樹脂製であって、図１及び図２に示すように、リテーナ装着孔４０に上下動可能に嵌る係止基部５１の左右両端に、左右のガイド溝４１に上下動可能に嵌合するガイド板５２が形成された形状である。後記するように、係止基部５１における前面上部の角部が、雌端子２０における端子接続部２１の後面角部（あご部２７）に係止するように機能する。
【００２２】
図１に示すように、各ガイド板５２の対向面における上縁に寄った位置には、方形状をなす被係止凹部５３が形成され、被係止凹部５３の上側の周面が被係止面５４となっている。
一方、左右のガイド溝４１の底面におけるリテーナ装着孔４０の上方の領域には、下側に第１仮係止突条４２が、上側に第１本係止突条４３が、所定間隔を開けて形成されている。両係止突条４２，４３は、上記の被係止凹部５３内に嵌合可能な長さ寸法を有している。
第１仮係止突条４２では、下面がテーパ状のガイド面４２Ａ、上面が切り立った係止面４２Ｂとされているのに対し、第１本係止突条４３では、下面のガイド面４３Ａと上面の係止面４３Ｂとが共にテーパ状に形成されている。
【００２３】
リテーナ５０は、左右のガイド板５２がガイド溝４１に沿って案内されつつリテーナ装着孔４０に向けて下方から挿入され、左右のガイド板５２が第１仮係止突条４２に乗り上げて弾性的に拡がりつつ押し込まれる。所定量押し上げられると、左右のガイド板５２が元姿勢に復動しつつ、第１仮係止突条４２が被係止凹部５３の上端部に嵌り、被係止凹部５３の上側の周面である被係止面５４が、第１仮係止突条４２の係止面４２Ｂに係止されることで落下不能に保持される。
これにより、リテーナ５０は仮係止位置に仮組みされた状態となり、このときには、図２に示すように、リテーナ５０の係止基部５１がリテーナ装着孔４０の下端部に若干嵌るものの、キャビティ３３の底面よりも下方に退避した状態となる。そのため、雌端子２０並びに電線１０が、キャビティ３３内に挿入されることが許容される。
【００２４】
雌端子２０がキャビティ３３内に正規位置まで挿入されたのち、リテーナ５０は仮係止位置から押し上げられる。リテーナ５０は、左右のガイド板５２が第１本係止突条４３に乗り上げて再び弾性的に拡がりつつ押し込まれる。所定量押し上げられると、左右のガイド板５２が元姿勢に復動しつつ、第１本係止突条４３が第１仮係止突条４２ともども被係止凹部５３の上端部に嵌り、被係止凹部５３の被係止面５４が、第１本係止突条４３の係止面４３Ｂに係止されることで落下が抑制された形態に保持される。
これにより、リテーナ５０は本係止位置に保持された状態となり、このときには、図４に示すように、リテーナ５０の係止基部５１がキャビティ３３の底部内に進入し、正規に挿入された雌端子２０のあご部２７に係止することで、雌端子２０を抜け方向に二次係止することになる。
【００２５】
さて、ハウジング本体３１の後端部には、緩衝部材６０が装着されるようになっている。
そのため、ハウジング本体３１の後端部には、緩衝部材６０の装着部４５が形成されている。装着部４５は詳細には、図１ないし図３に示すように、両キャビティ３３に亘る底壁の所定長さ領域が、両キャビティ３３間の仕切壁ともども切除されることで開口部４６が形成されているとともに、ハウジング本体３１における開口部４６が形成された領域の左右の側面には、緩衝部材６０の保持面４７が、上記したリテーナ５０のためのガイド溝４１の底面と面一をなすように凹み形成されている。
【００２６】
緩衝部材６０は合成樹脂製であって、図１および図３に示すように、開口部４６に嵌る底板６２の左右両端部から、保持面４７を覆うようにして側板６３が立ち上がり形成された溝形をなす本体部６１を有している。本体部６１の底板６２の後端部の下面からは、指掛け部６４が垂設されている。
【００２７】
本体部６１の底板６２の上面における中央幅位置には、切除された仕切壁に代わって左右のキャビティ３３の間に進出する仕切板６５が立ち上がり形成されている。
この仕切板６５の左右両面には、図３に示すように、中央高さ位置よりも少し下方位置において、押圧板６６が、キャビティ３３を横切るような水平姿勢をなして片持ち状に突出形成されている。
【００２８】
緩衝部材６０は、ハウジング本体３１の装着部４５に対して仮係止位置と本係止位置とでそれぞれ保持可能とされている。
そのため、左右の側板６３の上縁には、それぞれ被係止鈎部６７が対向するようにして形成されている。
【００２９】
一方、左右の保持面４７の上端部には、下側に第２仮係止突条４８が、上側に第２本係止突条４９が、所定間隔を開けて形成されている。
第２仮係止突条４８と第２本係止突条４９とは、上記したリテーナ５０の係止用の第１仮係止突条４２と第１本係止突条４３と同じ高さ位置に形成されている。また、断面形状も同様であって、繰り返すと、第２仮係止突条４８では、下面がテーパ状のガイド面４８Ａ、上面が切り立った係止面４８Ｂであり、第２本係止突条４９では、下面のガイド面４９Ａと上面の係止面４９Ｂとが共にテーパ状に形成されている。
【００３０】
緩衝部材６０は、左右の側板６３が左右の保持面４７を挟んだ姿勢から押し上げられ、仕切板６５が開口部４６から上方に進出し、また、左右の側板６３が第２仮係止突条４８に乗り上げて弾性的に拡がりつつ押し込まれる。所定量押し上げられると、図３に示すように、左右の側板６３が元姿勢に復動しつつ、被係止鈎部６７が第２仮係止突条４８の係止面４８Ｂに係止されることで落下不能に保持される。
これにより、緩衝部材６０は仮係止位置に仮組みされた状態となり、このときには、図２に示すように、押圧板６６が開口部４６内においてキャビティ３３の概ね底面に相当する位置に留まる。そのため、電線１０の端末に接続された雌端子２０が、キャビティ３３内に挿入されることが許容される。また、押圧板６６は、雌端子２０から引き出された電線１０の所定寸法下方に位置している。
【００３１】
仮係止位置にある緩衝部材６０を押し上げると、左右の側板６３が第２本係止突条４９に乗り上げて再び弾性的に拡がりつつ押し込まれる。所定量押し上げられると、図５に示すように、左右の側板６３が元姿勢に復動しつつ、被係止鈎部６７が、第２本係止突条４９の係止面４９Ｂに係止されることで落下が抑制された形態に保持される。
これにより、緩衝部材６０は本係止位置に保持された状態となり、このときには、仕切板６５が両キャビティ３３を略全高に亘って仕切るようにさらに上方に進出することに伴い、図４に示すように、押圧板６６がキャビティ３３の略中央高さ位置まで進出し、押圧板６６が、雌端子２０から引き出された電線１０を台形状をなすように屈曲させつつ、キャビティ３３の天井面に押し付けた形態を採るようになっている。
【００３２】
続いて、本実施形態の作用を説明する。
コネクタＣ１の組み立ては、以下のようにして行われる。既述のように、電線１０の端末には、雌端子２０がワイヤバレル２２とインシュレーションバレル２３とを圧着することで接続される。このように、端末に雌端子２０を接続した電線１０が２本備えられる。
一方、雌ハウジング３０（ハウジング本体３１）には、図２に示すように、リテーナ５０並びに緩衝部材６０が共に仮係止位置に組み付けられて保持される。この状態では、リテーナ５０の係止基部５１並びに緩衝部材６０の押圧板６６が、キャビティ３３の概ね底面に相当する位置に退避している。
【００３３】
係る状態から、電線１０の端末に接続された雌端子２０がそれぞれ対応するキャビティ３３内に、後方から挿入される。雌端子２０は、緩衝部材６０の押圧板６６並びにリテーナ５０の係止基部５１と干渉することなくスムーズに挿入され、挿入の終盤では、樹脂ランス３６を下方に撓み変位させつつ押し込まれて、図２に示すように、雌端子２０がキャビティ３３の前壁３４に当たる正規位置まで押し込まれたところで、樹脂ランス３６が復動変位して被係止突部２６に係止し、いわゆる一次係止される。
【００３４】
次に、仮係止位置に保持されたリテーナ５０を、図２の矢線Ａに示すように押し込んで本係止位置に保持する。これにより、図４に示すように、リテーナ５０の係止基部５１が、雌端子２０のあご部２７に係止することでいわゆる二次係止され、すなわち雌端子２０が二重に抜け止めされた状態となる。
なお、雌端子２０が正規位置まで挿入されておらず、いわゆる半挿入状態に留められている場合は、リテーナ５０を本係止位置に向けて押し込んだ場合に、係止基部５１が端子接続部２１に当たることで押し込みができず、これにより雌端子２０が半挿入状態に留められていることが検知される。その場合は、雌端子２０をさらに押し込んで正規位置に持ち来したのち、改めてリテーナ５０を本係止位置に押し込んで二重係止すればよい。
【００３５】
両雌端子２０についてリテーナ５０による二重係止がなされたら、仮係止位置にある緩衝部材６０を、図２の矢線Ｂに示すように押し込んで、図５に示すように本係止位置に保持する。これに伴い、図４に示すように、緩衝部材６０に設けられた押圧板６６がキャビティ３３の後端部内を上昇し、雌端子２０から真っ直ぐな姿勢で引き出されていた電線１０が、台形状をなすように屈曲しつつキャビティ３３の天井面に押し付けられた状態となる。
【００３６】
以上によりコネクタＣ１の組み立てが完了し、使用に際しては、同コネクタＣ１が、例えば機器に設けられたり、あるいは定位置に備えられた相手の雄側のコネクタに嵌合されることによって、対応する雌端子２０と雄端子（図示せず）同士が電気的に接続され、ロックアーム３２によって嵌合状態にロックされる。
【００３７】
このような使用状態から、コネクタＣ１の後方に引き出された電線１０に対して、図４の矢線Ｐに示す方向に衝撃的な引っ張り力が作用すると、電線１０は、片持ち状をなす押圧板６６を下方に向けて弾性的に撓み変位させつつ、真っ直ぐな姿勢となって引っ張られるような現象を呈する。このように、押圧板６６を弾性力に抗して変位させつつ電線１０が真っ直ぐに引っ張られる過程では、引っ張り力に係る相応の仕事が発生してエネルギ消費が生じ、その分引っ張り力が吸収されることとなって、雌端子２０における電線１０の端末の接続部分（ワイヤバレル２２やインシュレーションバレル２３）に作用する引っ張り力が低減し、電線１０の端末が引き抜かれることが抑制される。
【００３８】
なお、メンテナンス等において、雌端子２０を雌ハウジング３０から外す場合は、治具等を用いて緩衝部材６０とリテーナ５０とを仮係止位置に戻して、押圧板６６と係止基部５１とをキャビティ３３の底壁側に退避させておき、さらに別の治具により樹脂ランス３６を強制的に撓み変位させて係止を解除したのち、電線１０を後方に引っ張ることにより、雌端子２０をキャビティ３３から後方に引き抜くことができる。
【００３９】
本実施形態のコネクタＣ１では、緩衝部材６０が装着されることにより、同緩衝部材６０に設けられた弾性変位可能な押圧板６６が、雌端子２０から引き出された電線１０を押圧して屈曲させる形態となる。そのため、電線１０に対して衝撃的な引っ張り力が作用した場合には、押圧板６６を弾性力に抗して撓み変位させつつ真っ直ぐな姿勢となって引っ張られる現象を呈し、この押圧板６６を撓み変位させる過程では、引っ張り力に係る仕事（エネルギ消費）が発生し、その分引っ張り力が吸収されることで、雌端子２０における電線１０の端末の接続部分に作用する引っ張り力が低減する。その結果、電線１０の端末が引き抜かれることが抑制され、すなわち耐衝撃機能が高められる。
【００４０】
緩衝部材６０は、正規の装着位置である本係止位置に保持する前に、仮係止位置に仮組みできるようになっているから、雌端子２０をキャビティ３３に挿入することから緩衝部材６０を正規に装着することに到るコネクタＣ１の組み立て作業を、能率良く行うことができる。
緩衝部材６０は、引っ張り力を吸収するための弾性変位可能な押圧板６６を、一体形成して設けた構造となっているから、構造がコンパクトに纏まって簡易に製造することができる。
【００４１】
＜実施形態２＞
次に、実施形態２を図６によって説明する。この実施形態２のコネクタＣ２では、上記実施形態１に対し、緩衝部材６０に関連した構造に変更が加えられており、以下には、実施形態１との相違点を主に説明し、実施形態１と同一機能を有する部位、部材については、同一符号を付すことで改めての説明は省略しまたは簡略化する。
【００４２】
この実施形態２では、上記実施形態１に例示した緩衝部材６０とリテーナ５０とが、側板６３とガイド板５２とを連結板７２で連結した形態で一体的に形成されている。なお、以下では、一体化された緩衝部材６０とリテーナ５０とを合わせて装着部材７０と称し、また、側板６３、連結板７２及びガイド板５２を合わせて係止板７１と称する。装着部材７０における左右の係止板７１の上縁には、その前端から少し入った位置から後端に亘り、被係止鈎部７４が対向するようにして形成されている。
【００４３】
一方、ハウジング本体３１Ａの左右の側面には、装着部材７０の係止板７１で覆われる装着面８０が、一段凹んだ形態で形成されている。この装着面８０の上端部に沿って、下側に仮係止突条８１が、上側に本係止突条８２が、所定間隔を開けて形成されている。両係止突条８１，８２は、上記の被係止鈎部７４に匹敵する長さ寸法を有している。また、実施形態１と同様に、仮係止突条８１では、下面がテーパ状のガイド面８１Ａ、上面が切り立った係止面８１Ｂとされているのに対し、本係止突条８２では、下面のガイド面８２Ａと上面の係止面８２Ｂとが共にテーパ状に形成されている。
【００４４】
コネクタＣ２は、以下のようにして組み立てられる。
雌ハウジング３０（ハウジング本体３１Ａ）には、装着部材７０（一体化されたリテーナ５０と緩衝部材６０）が仮係止位置に保持される。詳細には、装着部材７０は、左右の係止板７１が左右の装着面８０を挟んだ姿勢から押し上げられ、左右の係止板７１が仮係止突条８１に乗り上げて弾性的に拡がりつつ押し込まれる。所定量押し上げられると、左右の係止板７１が元姿勢に復動しつつ、被係止鈎部７４が仮係止突条８１の係止面８１Ｂに係止されることで落下不能に保持される。これにより、装着部材７０は仮係止位置に仮組みされた状態となり、このときには、図２に参照して示すように、リテーナ５０の係止基部５１並びに緩衝部材６０の押圧板６６が、キャビティ３３の底壁側に退避している。
【００４５】
この状態から、電線１０の端末に接続された雌端子２０がそれぞれ対応するキャビティ３３内に後方から挿入され、雌端子２０がキャビティ３３の前壁３４に当たる正規位置まで押し込まれたところで、樹脂ランス３６が被係止突部２６に係止していわゆる一次係止される。
次に、仮係止位置にある装着部材７０を押し上げると、左右の係止板７１が本係止突条８２に乗り上げて再び弾性的に拡がりつつ押し込まれ、所定量押し上げられると、左右の係止板７１が元姿勢に復動しつつ、被係止鈎部７４が本係止突条８２の係止面８２Ｂに係止されることで落下が抑制された形態に保持される。
【００４６】
これにより、図４に参照して示すように、リテーナ５０の係止基部５１が、雌端子２０のあご部２７に係止することで雌端子２０が二重係止される。それとともに、緩衝部材６０に設けられた押圧板６６がキャビティ３３の後端部内を上昇し、雌端子２０から真っ直ぐな姿勢で引き出されていた電線１０が、台形状をなすように屈曲しつつキャビティ３３の天井面に押し付けられた状態となる。
以上によりコネクタＣ２の組み立てが完了する。
【００４７】
このように組み立てられたコネクタＣ２において、後方に引き出された電線１０に対して衝撃的な引っ張り力が作用したとしても、実施形態１と同様に、電線１０は、片持ち状をなす押圧板６６を下方に向けて弾性的に撓み変位させつつ、真っ直ぐな姿勢となって引っ張られるような現象を呈し、その過程で、引っ張り力に係る相応の仕事が発生してエネルギ消費が生じ、その分引っ張り力が吸収されることとなって、雌端子２０における電線１０の端末の接続部分（ワイヤバレル２２やインシュレーションバレル２３）に作用する引っ張り力が低減する。その結果、電線１０の端末が引き抜かれることが抑制され、すなわち耐衝撃機能が高められる。
【００４８】
実施形態２では、緩衝部材６０とリテーナ５０とを一体化して装着部材７０として備えたから、緩衝部材６０とリテーナ５０とが別体として設けられている場合と比べて部品点数の減少が図れ、また雌ハウジング３０に対する装着動作も簡単となる。
また、緩衝部材６０は、自身とリテーナ５０の両方を合わせて係止するべく長い係止手段（被係止鈎部７４と係止突条８１，８２）により保持される構造であるから、仮係止位置及び本係止位置での保持力の向上が図られる。リテーナ５０についても、同様に保持力が高められる。
【００４９】
＜他の実施形態＞
本明細書で開示される技術は、上記記述及び図面によって説明した実施形態に限定されるものではなく、例えば次のような実施形態も含まれる。
（１）上記実施形態に示したコネクタの組立方法や手順はあくまでも一例であって、例えば実施形態１において、緩衝部材を仮係止位置に装着する場合に後方からスライド装着する等、適宜に変更し得るものである。
（２）緩衝部材は仮係止位置に仮組みされることなく直接に本係止位置に装着されるようになっていてもよい。
（３）端子金具を抜け止めするランスとリテーナとは、いずれか一方のみが備えられたものであってもよく、そのようなものも技術的範囲に含まれる。
（４）上記実施形態では、端子金具を一次係止する手段として、キャビティ内に設けた樹脂ランスを例示したが、これに代えて端子金具に設けた金属ランスをキャビティの内壁に係止するものであってもよい。
【００５０】
（５）上記実施形態では、緩衝部材に備える押圧部として、片持ち状の形態で一体形成された合成樹脂製の押圧板を例示したが、押圧板の形状はこれに限らず、要は電線を軸線と交差する方向に押圧して屈曲させ得、かつ押圧方向に弾性撓み可能なものであれば、他の形状であってもよい。
（６）また、緩衝部材に備える押圧部としては、別体に形成されて後から装着される金属ばね等の金属製の押圧部であってもよい。
（７）実施形態２では、一体化された緩衝部材とリテーナとを仮係止位置と本係止位置とに係止する手段として、一本に纏められた長い仮係止突条と本係止突条を利用したのであるが、仮係止突条と本係止突条とは、実施形態１に例示したように分断されたままであってもよい。
（８）本開示技術は、雄端子を雄ハウジングに収容する形式の雄側のコネクタにも適用可能である。極数も不問である。
【符号の説明】
【００５１】
Ｃ１，Ｃ２…コネクタ
１０…電線
２０…雌端子（端子金具）
３０…雌ハウジング（ハウジング）
３３…キャビティ
３６…樹脂ランス（係止部材）
４２…第１仮係止突条（仮係止部）
４３…第１本係止突条（本係止部）
４８…第２仮係止突条（仮係止部）
４９…第２本係止突条（本係止部）
５０…リテーナ（係止部材）
５４…被係止面（被係止部）
６０…緩衝部材
６６…押圧板（押圧部）
６７…被係止鈎部（被係止部）
７０…装着部材
７２…連結板
７４…被係止鈎部（被係止部）
８１…仮係止突条（仮係止部）
８２…本係止突条（本係止部）
【図１】
2017142901.tif 000003
【図２】
2017142901.tif 000004
【図３】
2017142901.tif 000005
【図４】
2017142901.tif 000006
【図５】
2017142901.tif 000007
【図６】
2017142901.tif 000008